(57)【特許請求の範囲】
【請求項１】
第１、第２及び第３の３つのチャンネルを用いて映像データを伝送し、上記３つのチャンネルの内の第１のチャンネルの映像データのブランキング期間に同期信号を表すデータを配置し、第２及び／又は第３のチャンネルの映像データのブランキング期間に制御情報を配置して伝送するデータ伝送方法において、
所定のパケット構造化が為されてパケット毎にパリティ符号を備えたデジタルオーディオデータを複数パケット分組み合わせ、それぞれのパケットから所定ビットずつビットデータを切り出してデータ単位を構成し、
該データ単位毎に、予め種類数が定められている特定データの１つに変換して符号化し、
その符号化されたデータを、上記第２及び／又は第３のチャンネルの映像データのブランキング期間に上記制御情報の代わりに配置して、映像データとともにデジタルオーディオデータを伝送するデータ伝送方法。
【請求項２】
請求項１に記載のデータ伝送方法において、
それぞれのパケットの同じビット位置から１ビットずつビットデータを切り出してデータ単位を構成することを特徴とするデータ伝送方法。
【請求項３】
請求項１に記載のデータ伝送方法において、
１ブランキング期間に配置されて伝送される上記パケットの数を第１のパケット数と第２のパケット数で切換えながらデジタルオーディオデータを伝送するようにしたことを特徴とするデータ伝送方法。
【請求項４】
請求項１に記載のデータ伝送方法において、
上記所定のパケット構造化されたデジタルオーディオデータは、１つのブランキング期間内で伝送されることを特徴とするデータ伝送方法。
【請求項５】
請求項１に記載のデータ伝送方法において、
上記各ブランキング期間において、オーディオデータが配置された残りのブランキング期間には０データが連続的に配置されることを特徴とするデータ伝送方法。
【請求項６】
請求項１に記載のデータ伝送方法において、
上記デジタルオーディオデータは、所定の方式で圧縮符号化されて、パケット構造化されてなることを特徴とするデータ伝送方法。
【請求項７】
第１、第２及び第３の３つのチャンネルを用いて映像データを送信し、上記３つのチャンネルの内の第１のチャンネルの映像データのブランキング期間に同期信号を表すデータを配置し、第２及び／又は第３のチャンネルの映像データのブランキング期間に制御情報を配置して送信するデータ送信装置において、
所定のパケット構造化が為されてパケット毎にパリティ符号を備えたデジタルオーディオデータを複数パケット分組み合わせ、それぞれのパケットから所定ビットずつビットデータを切り出してデータ単位を構成するデータ分割手段と、
該データ分割手段で分割されたデータ単位毎に、予め種類数が定められている特定データの１つに変換して符号化する符号化手段と、
上記符号化手段で符号化されたデータを、上記第２及び／又は第３のチャンネルの映像データのブランキング期間に上記制御情報の代わりに配置して合成し、その合成されたデータを所定の伝送路に送出させるデータ送出手段と
を備えたデータ送信装置。
【請求項８】
請求項７に記載のデータ送信装置において、
上記データ分割手段が、それぞれのパケットの同じビット位置から１ビットずつビットデータを切り出してデータ単位を構成することを特徴とするデータ送信装置。
【請求項９】
請求項７に記載のデータ送信装置において、
１ブランキング期間に配置されて伝送される上記パケットの数を第１のパケット数と第２のパケット数で切換えながらデジタルオーディオデータを伝送するようにしたことを特徴とするデータ送信装置。
【請求項１０】
請求項７に記載のデータ送信装置において、
上記所定のパケット構造化されたデジタルオーディオデータは、１つのブランキング期間内で伝送されることを特徴とするデータ送信装置。
【請求項１１】
請求項７に記載のデータ送信装置において、
上記各ブランキング期間において、オーディオデータが配置された残りのブランキング期間には０データが連続的に配置されることを特徴とするデータ送信装置。
【請求項１２】
請求項７に記載のデータ送信装置において、
上記デジタルオーディオデータは、所定の方式で圧縮符号化されて、パケット構造化されてなることを特徴とするデータ送信装置。
【発明の詳細な説明】
【０００１】
【発明の属する技術分野】
本発明は、例えばＤＶＩ（Digital Visual Interface）を用いて映像信号源と映像表示装置とを接続させる場合に適用して好適なデータ伝送方法及びデータ送信装置に関し、特に映像データとオーディオデータとを時分割多重化して伝送する技術に関する。
【０００２】
【従来の技術】
近年、テレビジョンチューナ、ビデオ再生装置、パーソナルコンピュータ装置本体などの映像信号源と、モニタ受像機などの映像表示装置とを接続させる場合に、デジタルデータで映像データを表示装置に伝送させるＤＶＩ規格と称されるものが規格化されている。
【０００３】
このＤＶＩ規格の詳細については、後述する実施の形態の中で説明するが、簡単に述べると、映像データを、原色信号Ｒ，Ｇ，Ｂのそれぞれを画素（ピクセル）単位でデジタル化したデータとして、表示装置に伝送するようにしたもので、高品質の画像を伝送して表示させることができる。また、画素単位の映像データであるため、表示装置側では受信した映像データで直接表示ドライバを駆動させることができ、比較的簡単な処理構成で表示などを行うことができる。
【０００４】
【発明が解決しようとする課題】
ところで、ＤＶＩ規格で規定されたケーブルで伝送されるデータは、基本的に映像データだけであり、オーディオデータを同時に伝送させることを考えた場合には、ＤＶＩ規格で規定されたケーブルとは別のオーディオ用のケーブルで、チューナなどとオーディオ出力装置とを接続させる必要がある。ところが、このように複数のケーブルで接続させるようにすると、接続構成が複雑化する問題がある。
【０００５】
即ち、映像データだけを伝送するシステム構成を考えた場合には、例えば図１０に示すように、映像信号源１とディスプレイ装置３とを、ＤＶＩ規格のケーブル２で接続して、このケーブル２でＤＶＩ規格で符号化された映像データを伝送するようにすれば、映像信号源１からディスプレイ装置３に映像データを伝送することができる。これに対して、例えば図１１に示すように、映像・音声信号源４からスピーカ付きディスプレイ装置６に映像データと音声データとを伝送する場合には、ＤＶＩ規格のケーブル２で映像データを伝送するように接続し、さらにケーブル２とは別のオーディオ信号用ケーブル５でオーディオデータを伝送するように接続する必要がある。この図１１に示すように接続することで、映像・音声信号源４から出力された映像をディスプレイ装置６で表示させることができ、またディスプレイ装置６に取付けられたスピーカ６Ｌ，６Ｒから音声を出力させることができる。
【０００６】
ところが、図１１に示すように、映像データと音声データとで別々のケーブルを使用して接続するようにすると、それだけ接続構成が複雑化する問題がある。できれば機器間を接続するケーブルの数は少ない方が好ましい。
【０００７】
なお、映像データと音声データを多重化して１本のケーブルを使用して伝送できるようにする技術は、例えばＩＥＥＥ（The Institute of Electrical and Electronics Engineers ）１３９４方式として規格化されたバスラインを使用したデータ伝送技術を適用することで可能であるが、このようなＩＥＥＥ１３９４方式のバスラインなどでデータ伝送を行うためには、非常に複雑なデータ処理が必要であり、送信側での伝送用のエンコード処理の構成や、受信側でバスラインを介して受信したデータのデコード処理の構成として、非常に大規模な回路構成が必要であり、コストがかかる問題がある。また、ＩＥＥＥ１３９４方式などでは、伝送レート等の問題から、映像データや音声データを圧縮符号化して多重化するようにしてあり、上述したＤＶＩ規格のように画素単位でデジタル化した映像データを伝送するものに比べて、画質が劣る問題がある。
【０００８】
また、デジタル化された音声データを伝送する場合には、映像データを伝送する場合とは別のエラー訂正処理が必要になるが、そのエラー訂正のために特別な処理を行うようにすると、送信側と受信側の双方のオーディオデータ処理構成が複雑化してしまう問題があった。
【０００９】
本発明はかかる点に鑑み、映像データにオーディオデータを多重化して伝送することが、簡単な構成で良好に行えるようにすることを目的とする。
【００１０】
【課題を解決するための手段】
本発明は、第１、第２及び第３の３つのチャンネルを用いて映像データを伝送し、３つのチャンネルの内の第１のチャンネルの映像データのブランキング期間に同期信号を表すデータを配置し、第２及び／又は第３のチャンネルの映像データのブランキング期間に制御情報を配置して伝送する場合に、所定のパケット構造化が為されてパケット毎にパリティ符号を備えたデジタルオーディオデータを複数パケット分組み合わせ、それぞれのパケットから１ビットまたは複数ビットずつビットデータを切り出してデータ単位を構成し、該データ単位毎に、予め種類数が定められている特定データの１つに変換して符号化し、その符号化されたデータを、第２及び／又は第３のチャンネルの映像データのブランキング期間に制御情報の代わりに配置して、映像データとともにデジタルオーディオデータを伝送するようにしたものである。
【００１１】
このようにしたことで、映像データのブランキング期間を利用して、オーディオデータが映像データに多重化され、例えばＤＶＩ規格のような既存の映像データ伝送フォーマットを適用して、映像データとオーディオデータを同時に伝送することができる。
【００１２】
【発明の実施の形態】
以下、本発明の一実施の形態を、図１〜図９を参照して説明する。
【００１３】
本例においては、ビデオテープ記録再生装置，ビデオディスク再生装置，チューナなどの映像・音声信号源から出力される映像データを、モニタ受像機，テレビジョン受像機などの表示装置に伝送するシステムに適用したものである。ここで、表示装置として音声出力機能を有するものを使用して、映像・音声信号源から、１つのケーブルを使用して映像データと音声データを伝送するようにしたものである。この伝送ケーブルとしては、ＤＶＩ（Digital Visual Interface）と称される規格でデータが伝送されるケーブルを使用する。
【００１４】
図１は、本例の伝送システムの全体構成を示す図である。映像・音声信号源１０を、ＤＶＩ用ケーブル２を使用してスピーカ付きディスプレイ装置２０に接続し、このケーブル２で映像データと音声データを伝送する構成としてある。ＤＶＩ用ケーブル２が接続される映像・音声信号源１０及びディスプレイ装置２０のコネクタ部は、例えば２４本のピンのコネクタで構成され、ケーブル２で双方の機器１０，２０のコネクタの２４本のピンが個別に接続される。
【００１５】
図２は、映像・音声信号源１０での、映像データと音声データをＤＶＩ用ケーブルに送出させる送信装置としての機能を実行させる処理構成を示したものである。映像データ入力部１１には、ＤＶＩ規格で符号化された映像データが機器１０の映像処理部（図示せず）から供給される。この映像データ入力部１１に得られる映像データを、映像・音声合成部１２に供給し、この合成部１２で音声データを映像データに多重化する合成処理を行い、合成されたデータをＤＶＩフォーマットデータ出力部１８に供給し、この出力部１８から機器１０に接続されたＤＶＩ用ケーブルに送出させる。
【００１６】
ここで、ＤＶＩフォーマットで映像データが伝送される構成について図４を参照して説明すると、伝送される映像データとしては、図４Ａに示すＢデータ（青データ）と、図４Ｂに示すＧデータ（緑データ）と、図４Ｃに示すＲデータ（赤データ）とが、それぞれ個別のチャンネルのデータとして伝送される。各チャンネルのデータは、１画素が８ビットのデータとされ、３チャンネルで１画素あたり合計２４ビットのデータとなる。但し、実際にＤＶＩで画素データを伝送する際には、８ビットのデータを１０ビットのデータに変換して伝送するようにしてある。各チャンネルの画素データは、図４Ｃに示すピクセルクロックに同期して伝送される。図４Ｅは、各チャンネルのビットデータの詳細を示す図で、ピクセルクロックに同期して、各チャンネル１０ビットの画素データ〔０，１，２‥‥９〕が伝送される。
【００１７】
ＤＶＩフォーマットでは、各チャンネルの画素データは、水平ブランキング期間及び垂直ブランキング期間には伝送されない。図４Ａに示すＢデータの伝送チャンネルは、水平ブランキング期間には水平同期信号ＨＳＹＮＣとして規定されたデータが伝送され、垂直ブランキング期間には垂直同期信号ＶＳＹＮＣとして規定されたデータが伝送される。図４Ｂに示すＧデータの伝送チャンネルは、各ブランキングには２つの制御データ（ＣＴＬ０データ及びＣＴＬ１データ）が配置される。図４Ｃに示すＲデータの伝送チャンネルは、各ブランキングには２つの制御データ（ＣＴＬ２データ及びＣＴＬ３データ）が配置される。なお、以下の説明では、制御データＣＴＬ０，ＣＴＬ１，ＣＴＬ２，ＣＴＬ３を、それぞれ制御データＣ０，Ｃ１，Ｃ２，Ｃ３と称する。
【００１８】
各制御データＣ０，Ｃ１，Ｃ２，Ｃ３は、２ビットのデータを１０ビットのデータに変換して、各チャンネルのブランキング期間に配置される。即ち、例えば図４Ｂに示すＧデータチャンネルでは、制御データＣ０の１ビットと、制御データＣ１の１ビットとの２ビットデータを得、この２ビットデータを、特定のパターンの１０ビットデータに変換して、この変換された１０ビットデータをブランキング期間に配置する。具体的には、制御データＣ０，Ｃ１の２ビットのデータの組み合わせとしては、図５に示すように〔００〕，〔０１〕，〔１０〕，〔１１〕の４つの組み合わせが存在し、それぞれの組み合わせ毎に、図５に示すように１０ビットのＣＴＬコードが割当ててある。従って、Ｇデータチャンネルでは、ブランキング期間に、この４種類の１０ビットデータ以外のデータが伝送されることはない。Ｒデータチャンネルで伝送される制御データＣ２，Ｃ３についても、同様に処理される。
【００１９】
ここで本例においては、図４Ｂに示すＧデータの伝送チャンネルの水平ブランキング期間に配置する制御データＣ０，Ｃ１で、音声データ（オーディオデータ）を伝送するようにしてある。図２の説明に戻って、この音声データを伝送させる構成について説明する。
【００２０】
機器１０の音声処理部（図示せず）から音声データ入力部１３に得られる音声データは、データ変換処理を行ってから、映像・音声合成部１２に供給する。本例の場合に音声データ入力部１３に得られる音声データについては、ＩＥＣ（International Electrotechnical Commission ）６０９５８方式としてパケット化されたオーディオデータである。
【００２１】
ＩＥＣ６０９５８方式のパケットデータは、図６Ａに示すように、１パケット（１サブフレーム）が３２ビットで構成されて、先頭の４ビットにプリアンブルが配置され、続いた２４ビットの区間に１サンプルのオーディオデータ（オーディオサンプルワード）が配置される。１サンプルが２４ビット未満のビット数（例えば１６ビット）のデータが配置される場合もある。また、末尾の４ビットにサブコードが配置される。
【００２２】
１パケット内のサブコードとしては、図６Ａに示すように、バリディティビットＶと、ユーザデータビットＵと、チャンネルステータスビットＣと、パリティビットＰとが配置される。１ビットのパリティビットＰは、オーディオデータのパリティチェックを行うための符号であり、そのパリティ符号を使用した演算によるパリティチェックで、そのパケット内のオーディオデータにエラーがあるか否か判断できるものである。但し、パリティビットＰのデータだけではエラーの有無の判断ができるだけであり、エラー訂正はできない。
【００２３】
なお、図６Ｂに示すように、４ビットのプリアンブルに続いた４ビット区間を、補助データ区間とし、オーディオサンプルワードが配置される区間を２０ビットとする場合もある。
【００２４】
オーディオデータが左チャンネルデータと右チャンネルデータの２チャンネルデータである場合には、左チャンネルのオーディオデータの１パケットと、右チャンネルのオーディオデータの１パケットとの合計２パケットで１フレームが構成され、２パケット６４ビットのデータが１単位で伝送される。
【００２５】
図２の説明に戻ると、音声データ入力部１３に得られるパケット構成のオーディオデータは、２サンプルパケット変換部１４で、２パケット６４ビット（１フレーム）のオーディオデータを単位として、その２パケットの１ビットずつを並べた２ビットデータを３２個得るようなデータ配列とし、その３２個の２ビットデータをシンボル切り出し部１５に供給する。
【００２６】
シンボル切り出し部１５では、供給される３２個の２ビットデータを、１個ずつ（即ち２ビットずつ）順に切り出して出力させる。このシンボル切り出し部１５で切り出された２ビットデータを、２ビット／１０ビット変換部１６に供給する。この変換部１６での１０ビットデータへの変換処理は、既に説明した図５に示すＣ０，Ｃ１の２ビットデータを１０ビットデータに変換する処理と同様の処理が行われる。即ち、図５に示した４種類のＣＴＬコードのいずれかに変換される。
【００２７】
変換された１０ビットデータは、映像・音声合成部１２に供給し、この合成部１２で、Ｇデータチャンネルの水平ブランキング期間に配置して、映像データに音声データを多重化する。このように合成することで、Ｇデータチャンネルの水平ブランキング期間に伝送される制御データＣ０，Ｃ１として音声データが伝送されることになる。なお、実際のデータ処理の詳細については、後述する動作説明で説明するが、本例の場合には１水平ブランキング期間で、最大８サブフレーム（４フレーム）のオーディオデータを伝送することができる。
【００２８】
Ｒデータチャンネルの水平ブランキング期間には、制御データ入力部１７から映像・音声合成部１２に供給される制御データを、制御データＣ２，Ｃ３として１０ビット変換した後、配置される。また、映像・音声合成部１２には、水平同期信号及び垂直同期信号とピクセルクロックなどのＤＶＩフォーマットで必要なデータについても供給される。
【００２９】
図３は、ディスプレイ装置２０での、ＤＶＩ用ケーブルを介して伝送される映像データと音声データを受信する受信装置としての機能を実行させる処理構成を示したものである。機器１０と接続されたＤＶＩ用ケーブルを介して伝送されたデータが、ＤＶＩフォーマットデータ入力部２１に得られる。この入力部２１に得られるデータは、映像・音声分離部２２に供給し、ブランキング期間に配置された各データ（音声データ，制御データ）を映像データから分離する。映像・音声分離部２２でこれらのデータが分離された映像データは、映像データ出力部２３を介してディスプレイ装置２０内の映像処理部（図示せず）に供給して、表示のための処理が実行される。また、映像・音声分離部２２で分離された制御データ（Ｒデータチャンネルのブランキング期間に多重化された制御データＣ２，Ｃ３）を、制御データ出力部２４を介して、このディスプレイ装置２０のコントローラ（図示せず）に供給する。
【００３０】
そして、映像・音声分離部２２でＧデータチャンネルの水平ブランキング期間から分離した音声データ（制御データＣ０，Ｃ１として伝送されるデータ）は、１０ビット／２ビット変換部２５に供給する。この１０ビット／２ビット変換部２５では、図５に示した１０ビットのＣＴＬコードを２ビットのデータＣ０，Ｃ１に変換する復号化処理が行われる。但し、図５に示した４種類の１０ビット以外のデータが検出された場合には、伝送エラーが発生したと判断して、エラー検出データを出力し、該当する２ビットのデータは、０データか１データか確定してない消失データとする。
【００３１】
１０ビット／２ビット変換部２５で変換された２ビット単位のデータは、パケット組み立て部２６に供給する。パケット組み立て部２６では、供給される２ビットのデータを３２個集めて、２つのパケット（２サブフレーム：１フレーム）を組み立てる処理を行う。また、１０ビット／２ビット変換部２５が出力するエラー検出データが、パケット組み立て部２６に供給されるようにしてあり、パケット組み立て部２６で組み立てられたパケットの各ビットに、エラー検出データに基づいたエラーフラグを立てるようにしてある。このエラーフラグが立てられたビット位置のデータは、消失データである。
【００３２】
パケット組み立て部２６で組み立てられたパケットデータは、エラー訂正部２７とパリティ抽出部２８に供給する。パリティ抽出部２８は、供給されるパケットデータの中のパリティビットを抽出し、その抽出したパリティビットを、エラー訂正部２７に供給する。エラー訂正部２７では、供給されるパケットデータに消失データがあるとき、その消失データを、パリティビットを使用したパリティチェックによる演算で判定し、消失データを復元するエラー訂正処理を行う。但し、本例の場合にはパリティビットが１パケットあたり１ビットであるので、１パケットで１ビットまでの復元ができ、１パケットに２ビット以上の消失データがある場合には、パリティチェックによる演算ではエラー訂正できない。
【００３３】
そして、エラー訂正部２７でエラー訂正された２サブフレーム単位のパケットデータを、音声データ出力部２９を介して、このディスプレイ装置２０の音声処理部（図示せず）に供給して、図１に示したスピーカ２０Ｌ，２０Ｒから出力させる処理を実行させる。
【００３４】
次に、本例のシステムで音声データ（オーディオデータ）が伝送される状態の詳細を説明する。図７は、送信側（本例での映像・音声信号源１０）で水平ブランキング期間に、ＩＥＣ６０９５８規格のオーディオデータパケットが配置される状態を示した図である。この規格でのオーディオデータパケットは、図７Ａに示すように、１パケットである１サブフレームが３２ビットで構成されて、左チャンネル（Ｌｃｈ）のパケットと右チャンネル（Ｒｃｈ）のパケットとが交互に配置されて供給される。図７Ａの例では、奇数番号のパケットＡ1 ，Ａ3 ，Ａ5 ‥‥が左チャンネルのサブフレームであり、偶数番号のパケットＡ2 ，Ａ4 ，Ａ6 ‥‥が右チャンネルのサブフレームである。
【００３５】
ここで、２サンプルパケット変換部１４では、図７Ｂに示すように、２つのパケット（ここではパケットＡ1 ，Ａ2 ）のデータを、各パケットの同じビット位置どうしのデータを並べたデータ配列と、シンボル切り出し部１５で、その同じビット位置どうしの２ビットデータが順に取り出される。そして、図７Ｂの右側に示すように、それぞれの２ビットデータが、図５に示した１０ビットのＣＴＬコードに変換される。
【００３６】
ここでは、図７Ｂに示すように、パケットＡ1 及びパケットＡ2 の０ビット〜３１ビットのデータが、各ビット位置毎に１０ビットのデータ〔Ａ1 ，Ａ2 ０〕，〔Ａ1 ，Ａ2 １〕，〔Ａ1 ，Ａ2 ２〕‥‥〔Ａ1 ，Ａ2 ３１〕に変換されたとする。
【００３７】
このようにして得られた１０ビットデータは、図７Ｃに示すピクセルクロックに同期して、図７Ｄの水平同期信号により示される水平ブランキング期間に、映像データの特定チャンネル（ここではＧデータチャンネル）に配置される。図７Ｅは、この音声データが制御データＣ０，Ｃ１として配置されるチャンネルの水平ブランキング期間の状態を示した図である。ここでは上述した１０ビットのデータ〔Ａ1 ，Ａ2 ０〕，〔Ａ1 ，Ａ2 １〕，〔Ａ1 ，Ａ2 ２〕‥‥〔Ａ1 ，Ａ2 ３１〕が、ピクセルクロックに同期して順に出力される。パケットＡ1 ，Ａ2 の最後のデータ〔Ａ1 ，Ａ2 ３１〕が送出された後には、次の２つのパケットＡ3 ，Ａ4 の１０ビットのデータ〔Ａ3 ，Ａ4 ０〕〜〔Ａ3 ，Ａ4 ３１〕が、ピクセルクロックに同期して順に出力される。
【００３８】
このようにして水平ブランキング期間に、各パケットのオーディオデータが順に伝送される。本例の場合には、１水平ブランキング期間で、６パケット（６サブフレームつまり３フレーム）のオーディオデータが配置される場合と、８パケット（８サブフレームつまり４フレーム）のオーディオデータが配置される場合とがあり、図７Ｅでは６パケットを配置した例としてある。６パケット分のオーディオデータを送出させた残りの水平ブランキング期間には、０データ（即ちＣ０，Ｃ１ともに０になる１０ビットデータ）が連続的に配置される。
【００３９】
図８は、図８Ａに示す水平同期信号で示される１水平ブランキング期間内に、６サブフレーム（３フレーム）を配置した例（図８Ｂ）と、８サブフレーム（４フレーム）を配置した例（図８Ｃ）とを示したものである。図８Ｂ，図８Ｃを比較すると判るように、１水平ブランキング期間内に６サブフレーム配置した場合と８サブフレーム配置した場合とでは、末尾の０データの区間の長さが異なる。実際の伝送状態では、６サブフレーム配置される水平ブランキング期間と、８サブフレーム配置される水平ブランキング期間とが、所定の順序で周期的に設定される。
【００４０】
例えば、映像データの水平周波数が１５．７５ｋＨｚで、音声データのサンプリング周波数が４８ｋＨｚであるとすると、映像データの１水平走査期間は約６３．５μ秒であり、音声データの１サンプリング期間は約２０．８μ秒であるので、１水平ラインで３フレーム（１チャンネルあたり３サンプル：合計６サブフレーム）の音声データを送る処理を数十回行う毎に、１水平ラインで４フレーム（１チャンネルあたり４サンプル：合計８サブフレーム）の音声データを送る処理を１回行うように、２つの処理を組み合わせることで、映像に対する音声の遅延を生じさせることなく伝送できる。
【００４１】
次に、このようにして水平ブランキング期間に伝送された音声データを受信した側でエラー訂正が行われる状態を、図９を参照して説明する。図９では、２つのサブフレームＡ1 ，Ａ2 を伝送したときの例としてある。即ち、図９の左端に示すように、それぞれ３２ビットのサブフレームＡ1 ，Ａ2 は、各ビット位置の２ビットのデータ毎に１０ビットデータ〔Ａ1 ，Ａ2 ０〕，〔Ａ1 ，Ａ2 １〕，〔Ａ1 ，Ａ2 ２〕‥‥〔Ａ1 ，Ａ2 ３１〕に変換されて、その変換された１０ビットデータが、水平ブランキング期間にＤＶＩ用ケーブルを使用して順に伝送される。
【００４２】
このようにして伝送したとき、図９に示すように、例えば１０ビットデータ〔Ａ1 ，Ａ2 １〕に伝送エラーが発生して、この１０ビットデータを元の２ビットデータに復号化できないとする。そして、その他の１０ビットデータについては、正しく受信して２ビットデータに正しく復号化できたとする。このとき、パケット組み立て部２６では、サブフレームＡ1 ，Ａ2 の伝送エラーが発生したビットについては、消失データ（図中の×で示したビットデータ）となり、該当するビット位置のエラーフラグが１データ（エラーのないビット位置のエラーフラグは０データ）に設定される。
【００４３】
そして、このように消失データがあった場合に、エラー訂正部２７での演算処理で、消失データの復元が行われる。即ち、それぞれのサブフレームＡ1 ，Ａ2 毎に、パリティビットを使用した演算で、消失データの判定を行う。パリティビットの設定方法としては、従来からデジタルデータの符号化で使用されている各種方法が適用できる。例えば、パリティビットを付加することで１サブフレーム内の３２ビット全てを加算したとき、偶数の値となるように、パリティビットの値を設定することで、消失データ以外の３１ビットの加算で、消失データが１データか０データか判定できる。従って、エラー訂正部２７でエラー訂正されたサブフレームが、音声データ出力部２９に得られるようになる。
【００４４】
以上説明したように映像データに音声データを多重化して伝送できることで、映像データを伝送するための構成を利用して、簡単かつ良好に音声データを伝送することが可能になる。即ち、ＤＶＩ規格として規格化された既存のデジタル映像データを伝送するシステムを利用して、同じ信号ケーブルで音声データを伝送することが可能になる。特に本例の場合には、映像データの水平ブランキング期間に音声データを伝送するようにしたので、映像データの伝送処理構成については、従来のＤＶＩ規格を全く変更する必要がなく、送信側，受信側ともにＤＶＩ規格用に用意された映像データの処理ブロックがそのまま使用できる。
【００４５】
また本例の場合には、音声データとして、デジタルオーディオデータの伝送用として広く普及している伝送データの規格であるＩＥＣ６０９５８方式のパケットデータをそのまま伝送するようにしたが、その方式のパケットデータに伝送エラーがあったとき、この方式のパケット内に予め用意されたパリティビットを使用して、エラー訂正が行え、エラーの少ない良好な伝送が可能になる。
【００４６】
即ち、ＩＥＣ６０９５８方式のオーディオパケットをそのまま伝送させたときには、パケット内のパリティビットを使用した演算では、該当するパケット内のデータにエラーがあるか否か判るだけであり、従来は受信側での処理にパリティビットは使用されていなかった。ここで本例の場合には、パケットのデータをビット単位で分解した上で、２ビット毎に１０ビットのＣＴＬコードに変換して伝送するようにしたので、パケット内のデータにエラーが発生したとき、そのエラーが発生したビット位置が判る。このため、パリティビットを使用してエラー訂正が行え、特別なエラー訂正用の符号を別途用意することなく、簡単にエラー訂正が行えるようになる。
【００４７】
なお、上述した実施の形態では、２チャンネルのデジタルオーディオデータを伝送するように構成したが、１チャンネルのデジタルオーディオデータを伝送する場合や、３チャンネル以上のデジタルオーディオデータを伝送する場合にも適用可能である。例えば３チャンネル以上のマルチチャンネルデータを伝送させる場合には、図４に示したＲデータチャンネルの水平ブランキング期間のＣＴＬ２及びＣＴＬ３の部分を、オーディオデータの伝送に使用しても良い。
【００４８】
また、上述した実施の形態では、一定のサンプリングレートのデジタルオーディオデータが配置されたパケットを伝送するようにしたが、所定の方式（例えばＡＴＲＡＣ方式やＭＰ３方式など）で圧縮符号化されたデジタルオーディオデータをパケット内に配置して伝送するようにしても良い。
【００４９】
また、上述した実施の形態では、オーディオデータの伝送期間として水平ブランキング期間を使用するようにしたが、垂直ブランキング期間をオーディオデータの伝送に使用しても良い。
【００５０】
また、ここまで説明した実施の形態では、ＤＶＩ規格の伝送路を使用して映像データに音声データを多重化して伝送するようにしたが、その他の映像データ伝送用の規格を適用しても良い。この場合、伝送路は有線のケーブルで接続させる伝送路の他に、無線伝送される伝送路を使用しても良い。
【００５１】
【発明の効果】
本発明によると、映像データのブランキング期間を利用して、オーディオデータが映像データに多重化され、例えばＤＶＩ規格のような既存の映像データ伝送フォーマットを適用して、映像データとオーディオデータを同時に伝送することができ、既存の映像データを伝送するための構成をそのまま生かした上で、その映像データを伝送するための伝送路を使用して、デジタルオーディオデータを良好に伝送できるようになる。
【００５２】
この場合、パケット構造化されたデジタルオーディオデータには、オーディオデータのパリティ符号が含まれることで、受信側でパリティ符号を使用して伝送されたオーディオデータのエラー検出を行うことが可能になる。
【００５３】
また、このようにパリティ符号を伝送するようにした上で、伝送路で伝送されたデジタルオーディオデータを受信したとき、符号化からの復号でエラーが検出された位置のデータを、パリティ符号を使用した演算で復元して、エラー訂正するようにしたことで、簡単な処理でオーディオデータのエラー訂正ができるようになる。
【図面の簡単な説明】
【図１】本発明の一実施の形態によるシステム構成例を示すブロック図である。
【図２】本発明の一実施の形態による送信系の構成例を示すブロック図である。
【図３】本発明の一実施の形態による受信系の構成例を示すブロック図である。
【図４】ＤＶＩ方式の伝送タイミングを示すタイミング図である。
【図５】ＤＶＩ方式のＣＴＬ０データ（Ｃ０データ），ＣＴＬ１データ（Ｃ１データ）とＣＴＬコードとの対応例を示した説明図である。
【図６】パケット化されたオーディオデータの構成例（ＩＥＣ６０９５８フォーマットの１サブフレーム構成例）を示す説明図である。
【図７】本発明の一実施の形態によるオーディオパケットの伝送処理例を示す説明図である。
【図８】本発明の一実施の形態によるサブフレームの配置例を示す説明図である。
【図９】本発明の一実施の形態によるエラー訂正処理例を示す説明図である。
【図１０】従来のＤＶＩ規格による接続例を示すブロック図である。
【図１１】従来のＤＶＩ規格による接続例（オーディオ用ケーブルを別に用意した例）を示すブロック図である。
【符号の説明】
２…ＤＶＩ規格用ケーブル、１０…映像・音声信号源、１１…映像データ入力部、１２…映像・音声合成部、１３…音声データ入力部、１４…２サンプルパケット変換部、１５…シンボル切り出し部、１６…２ビット／１０ビット変換部、１７…制御データ入力部、１８…ＤＶＩフォーマットデータ出力部、２０…スピーカ付きディスプレイ装置、２０Ｌ，２０Ｒ…スピーカ、２１…ＤＶＩフォーマットデータ入力部、２２…映像・音声分離部、２３…映像データ出力部、２４…制御データ出力部、２５…１０ビット／２ビット変換部、２６…パケット組み立て部、２７…エラー訂正部、２８…パリティ抽出部、２９…音声データ出力部
【図１】
0003648685.tif 000002
【図２】
0003648685.tif 000003
【図３】
0003648685.tif 000004
【図４】
0003648685.tif 000005
【図５】
0003648685.tif 000006
【図６】
0003648685.tif 000007
【図７】
0003648685.tif 000008
【図８】
0003648685.tif 000009
【図９】
0003648685.tif 000010
【図１０】
0003648685.tif 000011
【図１１】
0003648685.tif 000012